(57)【要約】マルチキャストおよびブロードキャストサービス（ＭＣＢＣＳ）を継続しながら、移動局ハンドオーバを実施するためのシステムを開示する。システムは、ターゲット基地局がサービング基地局と同じマルチキャストおよびブロードキャストサービス（ＭＢＳ）ゾーンの中にない場合、１つ以上の潜在的なターゲット基地局のリストを含むＭＢＳゾーン基準を、移動局からサービング基地局へ伝送するトランシーバモジュールを含む。ハンドオーバリクエストは、ＭＢＳゾーン基準に基づいて決定される潜在的なターゲット基地局のうちの１つ以上へサービング基地局から行われ、ＭＢＳゾーン基準は、移動局のＭＣＢＣＳ継続ポリシーを含む。次いで、１つ以上の潜在的なターゲット基地局のリストから、ＭＢＳゾーン基準を満たすターゲット基地局が選択され、ターゲット基地局へのハンドオーバプロセスが実施される。
2012510212.tif 000002
【特許請求の範囲】
【請求項１】
マルチキャストおよびブロードキャストサービス（ＭＣＢＣＳ）を継続しながら移動局のハンドオーバを管理する方法であって、
第１のターゲット基地局がサービング基地局と同じマルチキャストおよびブロードキャストサービス（ＭＢＳ）ゾーンの中にない場合、１つ以上の潜在的なターゲット基地局のリストを含むＭＢＳゾーン基準を、該移動局から該サービング基地局へ伝送するステップと、
該ＭＢＳゾーン基準に基づいて決定される該潜在的なターゲット基地局のうちの１つ以上へのハンドオーバリクエストを、該サービング基地局から起動するステップと、
該ＭＢＳゾーン基準を満たすターゲット基地局を選択するステップと、
該ターゲット基地局へのハンドオーバプロセスを実施するステップと
を含む、方法。
【請求項２】
サービング基地局から送信されたメッセージを介して、前記ターゲット基地局のＭＢＳゾーン識別子（ＩＤ）を決定するステップと、
該サービング基地局から送信されたメッセージに基づいて、該ターゲット基地局および該サービング基地局が同じＭＢＳゾーンにあるかどうかを決定するステップと
をさらに含む、請求項１に記載の方法。
【請求項３】
いずれのターゲット基地局も前記ＭＢＳゾーン基準を満たさない場合に、前記潜在的なターゲット基地局が前記サービング基地局に対する近接基地局であれば、該潜在的なターゲット基地局が前記１つ以上の潜在的なターゲット基地局のリストに含まれるように、該サービング基地局によって提案するステップをさらに含み、
該ＭＢＳゾーン基準は、前記移動局のＭＣＢＣＳ継続ポリシーを含む、請求項１に記載の方法。
【請求項４】
前記ターゲット基地局の前記ＭＢＳゾーンに基づいて、前記移動局におけるＭＢＳゾーンパラメータを更新するステップをさらに含む、請求項１に記載の方法。
【請求項５】
前記ＭＢＳゾーン基準は、前記移動局のＭＣＢＣＳ継続ポリシーを含む、請求項１に記載の方法。
【請求項６】
マルチキャストおよびブロードキャストサービス（ＭＣＢＣＳ）を継続しながら移動局のハンドオーバを実施するためのシステムであって、
ターゲット基地局がサービング基地局と同じマルチキャストおよびブロードキャストサービス（ＭＢＳ）ゾーンの中にない場合、１つ以上の潜在的なターゲット基地局のリストを含む、ＭＢＳゾーン基準を、該移動局から該サービング基地局へ伝送するトランシーバモジュールと、
該ＭＢＳゾーン基準に基づいて決定される該潜在的なターゲット基地局のうちの１つ以上へのハンドオーバリクエストを、該サービング基地局から起動するプロセッサモジュールと、
該ＭＢＳゾーン基準を満たすターゲット基地局を選択する決定モジュールと、
該ターゲット基地局へのハンドオーバプロセスを実施するハンドオーバモジュールと
を備える、システム。
【請求項７】
サービング基地局から送信されるメッセージを介して、前記ターゲット基地局のＭＢＳゾーン識別子（ＩＤ）を決定し、かつ該サービング基地局から送信されるメッセージに基づいて、該ターゲット基地局および該サービング基地局が同じＭＢＳゾーンにあるかどうかを決定するプロセッサモジュールをさらに備える、請求項６に記載のシステム。
【請求項８】
いずれのターゲット基地局も前記ＭＢＳゾーン基準を満たさない場合に、前記潜在的なターゲット基地局が前記サービング基地局に対する近接基地局であれば、該潜在的なターゲット基地局が前記１つ以上の潜在的なターゲット基地局のリストに含まれるように提案する、提案モジュールをさらに備え、該ＭＢＳゾーン基準は、前記移動局のＭＣＢＣＳ継続ポリシーを含む、請求項６に記載のシステム。
【請求項９】
前記ターゲット基地局の前記ＭＢＳゾーンに基づいて、前記移動局におけるＭＢＳゾーンパラメータを更新する更新モジュールをさらに備える、請求項５に記載のシステム。
【請求項１０】
前記ＭＢＳゾーン基準は、前記移動局のＭＣＢＣＳ継続ポリシーを含む、請求項５に記載のシステム。
【請求項１１】
マルチキャストおよびブロードキャストサービス（ＭＣＢＣＳ）を維持しながら移動局のネットワーク起動ハンドオーバを実施する方法であって、
１つ以上の潜在的なターゲット基地局のリストを含むハンドオーバリクエストメッセージを、サービング基地局から該移動局へ伝送するステップであって、
該１つ以上の潜在的なターゲット基地局は、該移動局のマルチキャストおよびブロードキャストサービス（ＭＢＳ）ゾーン基準に基づいて決定される、ステップと、
該ＭＢＳゾーン基準に基づいて、該移動局によって、該１つ以上の潜在的なターゲット基地局からターゲット基地局を選択するステップと、
該選択されたターゲット基地局へのハンドオーバプロセスを実施するステップと、
を含む、方法。
【請求項１２】
前記ＭＢＳゾーン基準は、前記移動局のＭＣＢＣＳ継続ポリシーを含む、請求項１１に記載の方法。
【請求項１３】
前記選択されたターゲット基地局のＭＢＳゾーンに基づいて、前記移動局におけるＭＢＳゾーンパラメータを更新するステップをさらに含む、請求項１１に記載の方法。
【請求項１４】
前記ターゲット基地局は、前記サービング基地局とは異なるＭＢＳゾーンの中にある、請求項１１に記載の方法。
【請求項１５】
マルチキャストおよびブロードキャストサービス（ＭＣＢＣＳ）を維持しながら移動局のネットワーク起動ハンドオーバを実施するためのシステムであって、
１つ以上の潜在的なターゲット基地局のリストを含むハンドオーバリクエストメッセージを、サービング基地局から該移動局へ伝送するトランシーバモジュールであって、
該１つ以上の潜在的なターゲット基地局は、該移動局のマルチキャストおよびブロードキャストサービス（ＭＢＳ）ゾーン基準に基づいて決定される、トランシーバモジュールと、
該ＭＢＳゾーン基準に基づいて、該移動局によって該１つ以上の潜在的なターゲット基地局からターゲット基地局を選択する処理モジュールと、
該選択されたターゲット基地局へのハンドオーバプロセスを実施するハンドオーバモジュールと
を備える、システム。
【請求項１６】
前記ＭＢＳゾーン基準は、前記移動局のＭＣＢＣＳ継続ポリシーを含む、請求項１４に記載のシステム。
【請求項１７】
前記選択されたターゲット基地局のＭＢＳゾーンに基づいて、前記移動局におけるＭＢＳゾーンパラメータを更新する更新モジュールをさらに備える、請求項１４に記載のシステム。
【請求項１８】
前記ターゲット基地局は、前記サービング基地局とは異なるＭＢＳゾーンの中にある、請求項１４に記載のシステム。
【請求項１９】
マルチキャストおよびブロードキャストサービス（ＭＣＢＣＳ）を維持しながら移動局の未制御ハンドオーバを実施する方法であって、
該移動局が、サービング基地局を離れ、該サービング基地局から１つ以上の潜在的なターゲット基地局のリストを受信する前にターゲット基地局にハンドオーバされる場合に、該ターゲット基地局によって、該サービング基地局から移動局コンテキストをリクエストするステップであって、
該１つ以上の潜在的なターゲット基地局は、マルチキャストおよびブロードキャストサービス（ＭＢＳ）ゾーン基準に基づいて決定される、ステップと、
該ターゲット基地局が該ＭＢＳゾーン基準を満たすかどうかを該ターゲット基地局で決定するステップと、
該ターゲット基地局が該ＭＢＳゾーン基準を満たす場合に、ＭＢＳゾーンパラメータを該移動局へ伝送するステップと
を含む、方法。
【請求項２０】
前記サービング基地局および前記ターゲット基地局は、異なるＭＢＳゾーンの中にある、請求項１９に記載の方法。
【請求項２１】
前記ターゲット基地局の前記ＭＢＳゾーンに基づいて、前記移動局におけるＭＢＳゾーンパラメータを更新するステップと、
該移動局で前記ＭＣＢＣＳを再開するステップと
をさらに含む、請求項１９に記載の方法。
【請求項２２】
マルチキャストおよびブロードキャストサービス（ＭＣＢＣＳ）を維持しながら移動局の未制御ハンドオーバを実施するためのシステムであって、
該移動局が、サービング基地局を離れ、該サービング基地局から１つ以上の潜在的なターゲット基地局のリストを受信する前にターゲット基地局にハンドオーバされる場合に、該ターゲット基地局によって、該サービング基地局から移動局コンテキストをリクエストするリクエストモジュールであって、
該１つ以上の潜在的なターゲット基地局は、マルチキャストおよびブロードキャストサービス（ＭＢＳ）ゾーン基準に基づいて決定される、リクエストモジュールと、
該ターゲット基地局が該ＭＢＳゾーン基準を満たすかどうかを該ターゲット基地局で決定する処理モジュールと、
該ターゲット基地局が該ＭＢＳゾーン基準を満たす場合に、ＭＢＳゾーンパラメータを該移動局へ伝送するトランシーバモジュールと
を備える、システム。
【請求項２３】
前記サービング基地局および前記ターゲット基地局は、異なるＭＢＳゾーンの中にある、請求項２２に記載のシステム。
【請求項２４】
前記ターゲット基地局の前記ＭＢＳゾーンに基づいて、前記移動局におけるＭＢＳゾーンパラメータを更新する更新モジュールと、
該移動局で前記ＭＣＢＣＳを再開する、ＭＣＢＣＳ再開モジュールと
をさらに備える、請求項２２に記載のシステム。
【発明の詳細な説明】
【技術分野】
【０００１】
（関連出願の引用）
本願は、米国仮特許出願第６１／１１７，９１８号（２００８年１１月２５日出願、名称「ＭＣＢＣＳ  Ｍｏｂｉｌｉｔｙ  Ｍａｎａｇｅｍｅｎｔ  Ｍｅｔｈｏｄ  ａｎｄ  Ｓｙｓｔｅｍ」）に基づく優先権を主張する。該仮出願の全内容は参照により本明細書に引用される。
【０００２】
（技術分野）
本発明は、概して、ワイヤレス通信に関し、より具体的には、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６通信システムプロトコルに記述されるように、マルチキャストおよびブロードキャストサービス（ＭＣＢＣＳ）のための移動性管理に関する。
【背景技術】
【０００３】
マルチキャストブロードキャストサービス（ＭＣＢＣＳ）に対するサポートを含むブロードバンドワイヤレスアクセスシステム用エアインターフェースに対する現在のＩＥＥＥ８０２．１６Ｒｅｖ２／Ｄ９ドラフト仕様（参照により本明細書に組み入れる）では、ＭＣＢＣＳゾーン内の基地局（ＢＳ）間を移動する際の移動局（ＭＳ）に対するＭＣＢＣＳ受信のシームレスなサービス継続に対するサポートは、ＭＢＳ＿ＤＡＴＡ＿ＩＥによって提供されるデイジーチェーン機構、および各ＭＣＢＣＳサービスフローに関連する通信パラメータは、ＭＢＳゾーン内のＢＳ間で同じであることが要求されるという事実を活用する。
【０００４】
ＭＢＳゾーンは、同じ地域に属する１つ以上の基地局（ＢＳ）から成り、この地域に対して、ＢＳは、ダウンリンク伝送を、少なくとも、同じまたは異なる周波数上で同じデータコンテンツを有するエアインターフェースフレームの粒度まで、その域の中の一連のターゲットＭＳまたはいずれかのＭＳに対して同期させる。ＭＢＳゾーンは、ＭＢＳゾーン識別子（ＭＢＳゾーンＩＤ）によって識別され、ＭＢＳサービスフローは、ＢＳ内でＭＢＳサービスフローのデータが伝送されるエアインターフェース接続を識別する、マルチキャスト接続識別子（ＭＣＩＤ）に関連付けられる。
【０００５】
隣接する（または近接する）ＭＢＳゾーンの中のＢＳ間のシームレスなサービス継続に対するサポートは、ＭＢＳゾーンＩＤおよびＭＣＩＤの現在のＭＢＳゾーンにおけるこれらの値から近接するＭＢＳゾーンにおける対応する値へのマッピングと、近接するＭＢＳゾーン間の同じＭＢＳサービスフローに対するＭＢＳデータ伝送の整合におけるあらゆる差とをブロードキャストすることによって含められてきた。
【０００６】
ＭＢＳゾーンＩＤおよびマルチキャスト接続識別子（ＭＣＩＤ）はＭＢＳゾーン内で同じままであるので、ＭＳは、ＭＢＳ  ＤＬ伝送を受信するために、同じＭＢＳゾーンに属するＢＳによって同時に伝送されるダウンリンク（ＤＬ）サブフレームの同じバーストを参照できる。加えて、ＭＢＳ＿ＭＡＰメッセージの一部である、ＭＢＳ＿ＤＡＴＡ＿ＩＥは、連続的に相互に直後にはない複数のＤＬフレームにまたがって、所与のＭＢＳサービスのデータ伝送をデイジーチェーンするようにサポートを提供する。ＩＥＥＥ８０２．１６仕様に記述されるように、ＭＢＳ＿ＤＡＴＡ＿ＩＥの基本概念は、デイジーチェーンに対して、
・ＭＢＳ−ＭＡＰメッセージ間、および
・ＭＢＳバースト間
という、２つのレベルの粒度をサポートする。
ＭＢＳ＿ＤＡＴＡ＿ＩＥのプログラミングは、例えば、ＭＳが同じＭＢＳゾーン内を移動している間に、アクティブ、スリープ、またはアイドルモードで作動しているＭＳにとらわれなくてもよい。ＭＢＳ＿ＤＡＴＡ＿ＩＥサポートでは、所与のＭＢＳゾーンに対するＭＢＳバーストを発見するために、フレーム毎にＭＢＳ＿ＭＡＰ＿ＩＥを検索する必要がない。
【０００７】
ＭＳがアクセスサービスネットワーク（ＡＳＮ）に接続され、アンカーＡＳＮを介して１つ以上のＭＢＳサービスに登録されると、ＭＣＢＣＳ関連のコンテキスト情報（例えば、ＭＣＩＤ、ＭＢＳゾーンＩＤ、アンカーＭＢＳプロキシ、ＭＢＳ分散ＤＰＦ、ＭＣＢＣＳサービスポリシー等）のうちの一部または全ては、他のＭＳのコンテキスト情報と共に保存され、ＭＳに関連付けられたサービングハンドオーバ機能によって、アクセス可能であり得る。
【発明の概要】
【課題を解決するための手段】
【０００８】
ここで開示される実施形態は、前述の先行技術で提示される問題のうちの１つ以上を解決すること、ならびに添付の図面とともに考慮される時、以下の詳細説明を参照することによって容易に明らかとなる、追加の特徴を提供することを目的とする。
【０００９】
本開示の一実施形態は、マルチキャストおよびブロードキャストサービス（ＭＣＢＣＳ）を継続しながら、移動局のハンドオーバを管理する方法に関する。方法は、ターゲット基地局がサービング基地局と同じＭＢＳゾーンの中にない場合、１つ以上の潜在的なターゲット基地局のリストを含む、マルチキャストおよびブロードキャストサービス（ＭＢＳ）ゾーン基準を、移動局からサービング基地局へ伝送するステップと、ＭＢＳゾーン基準に基づいて決定される、潜在的なターゲット基地局のうちの１つ以上へのハンドオーバリクエストをサービング基地局から起動するステップと、ＭＢＳゾーン基準を満たすターゲット基地局を選択するステップと、ターゲット基地局へのハンドオーバプロセスを実施するステップとを含む。
【００１０】
別の実施形態は、ＭＣＢＣＳを継続しながら、移動局のハンドオーバを実施するためのシステムに関する。システムは、ターゲット基地局がサービング基地局と同じＭＢＳゾーンの中にない場合、１つ以上の潜在的なターゲット基地局のリストを含む、ＭＢＳゾーン基準を、移動局からサービング基地局へ伝送する、トランシーバを含む。ハンドオーバリクエストは、ＭＢＳゾーン基準に基づいて決定される、潜在的なターゲット基地局のうちの１つ以上へサービング基地局から行われ、ＭＢＳゾーン基準は、移動局のＭＣＢＣＳ継続ポリシーを含む。次いで、１つ以上の潜在的なターゲット基地局のリストから、ＭＢＳゾーン条件を満たすターゲット基地局が選択され、ターゲット基地局へのハンドオーバプロセスが実施される。
【００１１】
また別の実施形態は、ＭＣＢＣＳを維持しながら、移動局のネットワーク起動ハンドオーバを実施する方法に関する。方法は、１つ以上の潜在的なターゲット基地局のリストを含む、ハンドオーバリクエストメッセージを、サービング基地局から移動局へ伝送するステップであって、１つ以上の潜在的なターゲット基地局は、移動局のＭＢＳゾーン基準に基づいて決定される、ステップと、ＭＢＳゾーン基準に基づいて、移動局によって、１つ以上の潜在的なターゲット基地局からターゲット基地局を選択するステップと、選択されたターゲット基地局へのハンドオーバプロセスを実施するステップとを含む。
【００１２】
また別の実施形態は、ＭＣＢＣＳを維持しながら、移動局のネットワーク起動ハンドオーバを実施するためのシステムに関する。システムは、１つ以上の潜在的なターゲット基地局のリストを含む、ハンドオーバリクエストメッセージを、サービング基地局から移動局へ伝送する、トランシーバモジュールを含み、１つ以上の潜在的なターゲット基地局は、移動局のＭＢＳゾーン基準に基づいて決定される。システムはさらに、ＭＢＳゾーン基準に基づいて、移動局によって、１つ以上の潜在的なターゲット基地局からターゲット基地局を選択する、処理モジュールと、選択されたターゲット基地局へのハンドオーバプロセスを実施する、ハンドオーバモジュールとを含む。
【００１３】
また別の実施形態は、ＭＣＢＣＳを維持しながら、移動局の未制御ハンドオーバを実施する方法に関する。方法は、移動局が、サービング基地局を離れ、サービング基地局から１つ以上の潜在的なターゲット基地局のリストを受信する前にターゲット基地局へハンドオーバされる場合、ターゲット基地局によって、サービング基地局から移動局コンテキストをリクストするステップであって、１つ以上の潜在的なターゲット基地局は、ＭＢＳゾーン基準に基づいて決定される、ステップと、ターゲット基地局を決定するステップであって、ターゲット基地局は、ＭＢＳゾーン基準を満たす、ステップと、ターゲット基地局がＭＢＳゾーン基準を満たす場合、ＭＢＳゾーンパラメータを移動局へ伝送するステップと、を含む。
【００１４】
また別の実施形態は、ＭＣＢＣＳの未制御のハンドオーバを実施するためのシステムに関する。システムは、移動局が、サービング基地局を離れ、サービング基地局から１つ以上の潜在的なターゲット基地局のリストを受信する前にターゲット基地局にハンドオーバされる場合、ターゲット基地局によって、サービング基地局から移動局コンテキストをリクエストする、リクエストモジュールを含み、１つ以上の潜在的なターゲット基地局は、ＭＢＳゾーン基準に基づいて決定される。システムはさらに、ターゲット基地局で、ターゲット基地局がＭＢＳゾーン基準を満たすかどうかを決定する、処理モジュールと、ターゲット基地局がＭＢＳゾーン基準を満たす場合、ＭＢＳゾーンパラメータを移動局へ伝送する、トランシーバモジュールとを含む。
【００１５】
本開示のさらなる特徴および利点、ならびに本開示の多様な実施形態の構造および動作は、添付の図面を参照して以下に詳細を説明する。
【図面の簡単な説明】
【００１６】
１つ以上の多様な実施形態による本開示は、以下の図面を参照して詳細に説明する。図面は、図説のみを目的として提供され、本開示の例示的実施形態を表すに過ぎない。これらの図面は、読者の本開示に対する理解を促進するために提供され、本開示の広さ、範囲、または適用性を制限すると考えられてはならない。図説の明確化および容易性のため、これらの図面は必ずしも縮尺されていないことに注意されたい。
【図１】図１は、実施形態による、例示的移動無線チャンネル動作の図である。
【図２】図２は、実施形態による、例示的通信システムの図である。
【図３】図３は、実施形態による、ＭＢＳサービスグループにグループ化された複数のＭＢＳゾーンを備える例示的無線チャネル動作環境の図である。
【図４】図４は、実施形態による、ＭＢＳハンドオーバ（ＨＯ）準備段階およびＭＢＳ  ＨＯ実行段階を起動するＭＳを示す流れ図である。
【図５】図５は、実施形態による、ＭＳ起動のＭＢＳ  ＨＯ実行段階を示す流れ図である。
【図６】図６は、実施形態による、ＭＳ起動のＭＢＳ  ＨＯ準備段階を示す流れ図である。
【図７】図７は、実施形態による、未制御のＭＧＳ  ＨＯ手順を示す流れ図である。
【発明を実施するための形態】
【００１７】
以下の説明は、当業者が本発明を作製および使用することを可能にするように提示される。特定のデバイス、技法、および用途の説明は実施例としてのみ提供される。本明細書において説明される実施例に対する多様な変形は、当業者には容易に明らかになると考えられ、本明細書において定義される一般的な原則は、本発明の精神および範囲を逸脱することなく、他の実施例および用途に適用され得る。このように、本発明は、本明細書において説明され、示される実施例に限定されることを意図せず、請求項に従う範囲に合致するものである。
【００１８】
本明細書では、「アクセスサービスネットワーク」（ＡＳＮ）という用語は、制限なく、移動局への無線アクセスを提供する任意の組のネットワーク機能を含む。
【００１９】
本明細書では、「移動局」（ＭＳ）という用語は、制限なく、移動中または不特定なポイントでの停止の間に使用されることを目的とする移動体サービスを備える局を含む。
【００２０】
本明細書では、「例示的」という用語は、「例または説明として機能すること」を意味するように使用される。本明細書において「例示的」として説明される一切の態様または設計は、必ずしも他の態様または設計より好ましいまたは利点があるとして解釈されるべきではない。
【００２１】
ここで、対象となる技術の態様を詳細に参照することになるが、これらの実施例は添付の図面に示され、その中で、同様な参照番号は、図面全体で同様な要素を参照する。
【００２２】
本明細書において開示されるプロセスにおけるステップの特定の順序または階層は、例示的手法の実施例であることを理解されたい。設計の好ましさに基づいて、プロセスにおけるステップの特定の順序または階層は、本開示の範囲内にとどまる上で再配置され得ることが理解される。添付の方法の請求項は、実施例の順序における多様なステップの要素を提示し、提示される特定の順序または階層に限定されることを意図しない。
【００２３】
本発明の実施形態は、本明細書では、１つの実践的用途の状況、つまり、基地局と複数の移動体デバイスとの間の通信において説明される。この状況において、例示的システムは、基地局と複数の移動体デバイスとの間にデータ通信を提供するように適用可能である。しかしながら、本開示の実施形態は、そのような基地局と移動体デバイスとの通信用途に限定されず、本明細書に説明される方法は、移動体から移動体への通信、またはワイヤレスローカルループ通信等の他の用途において利用され得る。詳細説明を一読後、当業者には明らかとなるように、これらは実施例に過ぎず、本発明はこれらの実施例による動作に限定されない。運ばれるデータへのフレーム内リソースの配分は、フレーム構造内に編成されるデータ伝送を備える任意のデジタル通信システムに適用され得て、フレーム内のそのようなリソースセットの全ては、異なるサイズの部分に応じて、運ばれているデータに柔軟に分割され得る。本開示に説明される機能は、基地局または移動局のいずれかによって実施され得ることに注意する。移動局は、携帯電話等の任意のユーザデバイスであり得、また移動局は、ユーザ機器（ＵＥ）または加入者局（ＳＳ）と称され得る。
【００２４】
一実施形態によると、アイドルモードの移動局（ＭＳ）のためにマルチキャストブロードキャストサービス（ＭＢＳ）ゾーンにわたってサービス継続を提供することは、ＭＢＳゾーン内に存在するＭＢＳバーストの現在のデイジーチェーンが、所定の類似または同じＭＢＳコンテンツが配信されるサービス領域全体で動作することを可能にすることによって、実行され得る。この動作をサポートするには、ＭＳが、ハンドオーバを実施する時点で、または、アイドルモードの場合には好ましい基地局（ＢＳ）の再選択を実施する時点で、ＭＢＳゾーン間のコンテンツ関連性を認識していることが必要である。したがって、この種の近接セルのＭＢＳゾーン関連情報が、ＭＳがＢＳ再選択時点でその情報を有するように、現在のサービングＢＳに提供されることが必要である。
【００２５】
実施形態によると、そのような近接セルのＭＢＳゾーン関連情報は、以下の要件のうちの１つ以上を満たすような方式で提供される。
１．追加の信号伝達オーバヘッドは、マクロダイバーシティが有効および有効でない場合、ＭＢＳゾーンを越える頻度がより多い（マクロダイバーシティが有効にされるキャリア周波数ベースに基づいてＭＢＳゾーンが定義され得る、より高次周波数再使用配備に対してマクロダイバーシティが小さいＭＢＳゾーンを用いる等）、または頻度がより少ない（単一周波数マクロダイバーシティ配備等）場合等、多様なＭＢＳゾーン配備シナリオにわたって、そのような関連情報を提供する際に最小限にされ得る。
２．  重要な信号伝達（例えば、ＩＥＥＥ８０２．１６マップ）に対する影響がない、および／または
３．  ＭＢＳゾーン移行は、サービスに参加後まもなくサポートされる（例えば、有効なＭＢＳ接続がある場合またはない場合のいずれかで利用可能な情報）。
【００２６】
実施形態によると、共通の組のＭＢＳゾーンに関連付けることよって同じ地域範囲を有し、かつＭＢＳサービスフローが使用可能になる全てのＭＢＳゾーン内の全てのＭＢＳゾーン全体でシームレスなサービス継続を要求し得る、ＭＢＳサービスフローは、ＭＢＳサービスグループ識別子（ＭＢＳサービスグループＩＤ）によって識別される共通のＭＢＳサービスグループに関連付けられ得る。ＭＢＳサービスグループのＭＢＳゾーンへの関連性は、ＭＢＳゾーン識別子が、ＭＳに認識されるようになる時（例えば、データキャリア検出（ＤＣＤ）および近接アドバタイズメントを介して）、ＭＢＳサービスグループＩＤを適切なＭＢＳゾーン識別子に添付することによって定義され得る。ＭＳは、近接するＢＳのＭＢＳゾーン識別子情報、およびこれによって関連するＭＢＳサービスグループＩＤを取得している場合は、ハンドオーバを実施する前に、有効に受信しているＭＢＳサービスグループに関連するＭＢＳゾーン識別子を検索することによって、ＭＢＳコンテンツ（現在受信中）がターゲットＢＳで継続されることを可能にする、ＭＢＳゾーン識別子を認識し得る。
【００２７】
ＭＢＳは、共通のマルチキャストコンテンツ識別子（ＭＣＩＤ）を使用して、ユーザグループに共通のデータの同時伝送のための効果的な方法を提供する。ＭＢＳサービスは、ダウンリンクのみに提供されてもよく、マクロダイバーシティを可能にするように、ＢＳグループの間で調整され、任意選択的に同期され得る。ＭＢＳに関連するサービスフローは、一定のＱｏＳパラメータを有し、世界的に定義されたトラフィック暗号化キー（ＴＥＫ）のシーケンスを使用して暗号を実施することを要求し得る。マルチキャスト接続はサービスフローに関連するため、そのサービスフローに対するＱｏＳおよびトラフィックパラメータに関連する。任意のＭＳ１０４上に作成された類似のＭＢＳコンテンツを伝送する全てのサービスフロー（例えば、ビデオの複数チャネル）は、ＱｏＳパラメータセットに対して同じサービスフロー管理エンコードを有し得る。
【００２８】
ＭＢＳデータを運ぶためのサービスフローは、通常動作中にサービスに加わっている個別のＭＳ上でインスタンス化される。そのようなインスタンス化の間、ＭＳは、サービスを識別するパラメータおよび関連のサービスフローを学習する。実施形態によると、ＭＢＳサービスを提供することが可能な各ＢＳは、一定のＭＢＳゾーンに属し、一定のサービスフローのコンテンツを伝送するために同じＭＣＩＤおよび同じセキュリティ関連（ＳＡ）が使用される、１組のＢＳである。１つ以上のＭＢＳサービスフローが、同じサービスグループに属し得る。１つ以上のＭＢＳサービスグループが、ＭＢＳゾーンを介してサービスされ得る。ＭＢＳサービスグループのサービス地域を含むＭＢＳゾーン内で、同じＭＢＳコンテンツは、同じＭＣＩＤおよびＳＡ上で伝送され得、適用可能な場合、各ＭＢＳサービスフローの同じ論理チャネルは、ＭＢＳサービスグループに属する。ＭＢＳサービスグループ内のＭＢＳサービスフローに対するシームレスなサービス継続は、そのサービス地域内に提供される。
【００２９】
図１は、本発明の一実施形態による、移動体無線チャネル動作環境１００を示す。移動体無線チャネル動作環境１００は、基地局（ＢＳ）１０２、移動局（ＭＳ）１０４、多様な障害物１０６／１０８／１１０、および地域１０１を覆う概念的六角形状ＭＢＳゾーン１２６／１３０／１３２／１３４／１３６／１３８／１４０の集団を含む。各ＭＢＳゾーン１２６／１３０／１３２／１３４／１３６／１３８／１４０は、その対象ユーザに十分な無線カバレッジを提供するように、配分された帯域幅で動作する任意の数の基地局を含み得る。例えば、基地局１０２は、移動局１０４に十分なカバレッジを提供するように、配分されたチャネル伝送帯域幅で動作し得る。図１の例示的な移動局１０４は、自動車であるが、移動局１０４は、携帯電話等の任意のユーザデバイスであり得る。代替として、移動局１０４は、Ｂｌａｃｋｂｅｒｒｙデバイス等のパーソナルデジタルアシスタント（ＰＤＡ）、ＭＰ３プレイヤ、または他の類似の携帯用デバイスであり得る。いくつかの実施形態によると、移動局１０４は、ワイヤレスノートブックコンピュータ、ワイヤレスパームトップコンピュータ、または他のモバイルコンピュータデバイス等のパーソナルワイヤレスコンピュータであり得る。
【００３０】
基地局１０２および移動局１０４は、それぞれ、ダウンリンク無線フレーム１１８、およびアップリンク無線フレーム１２４を介して通信し得る。各無線フレーム１１８／１２４はさらに、データシンボル１２２／１２４を含み得る、サブフレーム１２０／１２６に分割され得る。この移動体無線チャネル動作環境１００において、基地局１０２から伝送される信号は、上記の動作条件から制約される場合がある。例えば、マルチパス信号成分１１２は、自然の物体および／または人工の物体１０６／１０８／１１０による伝送信号の反射、散乱、および回折の結果として発生する場合がある。受信アンテナ１１４で、多数の信号は、異なる遅延、減衰、および位相で、多数の異なる方向から到着する場合がある。概して、第１に受信されるマルチパス成分１１６（典型的に、視線成分）の到着時点と、最後に受信されるマルチパス成分（可能性として、マルチパス信号成分１１２のいずれか）の到着時点との間の時間差は、遅延拡散と呼ばれる。多様な遅延、減衰、および位相を備えた信号の組み合わせは、受信信号にＩＳＩおよびＩＣＩ等の歪みを生じる場合がある。歪みは、受信信号の受信および有用な情報への変換を困難にする場合がある。例えば、遅延拡散は、無線フレーム１２４の中に含まれる有用な情報（データシンボル）の中にＩＳＩを発生させる場合がある。
【００３１】
図２は、本発明の一実施形態による、信号を伝送および受信するための例示的なワイヤレス通信システム２００を示す。システム２００は、本明細書において詳細に説明する必要のない周知または従来の動作機能をサポートするように構成される構成要素および要素を含み得る。例示的な実施形態において、システム２００は、ワイヤレス通信環境１００（図１）等のワイヤレス通信環境においてデータシンボルを伝送および受信するために使用され得る。システム２００は、概して、ＢＳトランシーバモジュール２０２と、ＢＳアンテナ２０６と、ＢＳプロセッサモジュール２１６と、ＢＳメモリモジュール２１８とを含むＢＳ１０２を備える。システム２００は、概して、ＭＳトランシーバモジュール２０８と、ＭＳアンテナ２１２と、ＭＳメモリモジュール２２０と、ＭＳプロセッサモジュール２２２とを含むＭＳ１０４と、ネットワーク通信モジュール２２６とを備える。もちろん、ＢＳ１０２およびＭＳ１０４の両方は、本開示の範囲を逸脱することなく、追加または代替のモジュールを含むことができる。
【００３２】
さらに、システム２００のこれらおよび他の要素は、データ通信バス（例えば、２２８、２３０）、または任意の好適な相互接続構成を使用して、共に相互接続され得る。そのような相互接続は、ワイヤレスシステム２００の多様な要素間の通信を促進する。当業者は、本明細書に開示される実施形態に関連して説明される、多様な例示のブロック、モジュール、回路、および処理論理が、ハードウェア、コンピュータ可読ソフトウェア、ファームウェア、またはこれらの任意の実践的な組み合わせにおいて実装され得ることを理解するであろう。ハードウェア、ファームウェア、およびソフトウェアのこの相互交換性および互換性を明確に示すため、多様な例示の構成要素、ブロック、モジュール、回路、およびステップは、概して、これらの機能性に関して説明される。そのような機能性がハードウェア、ファームウェア、またはソフトウェアとして実装されるかどうかは、システム全体に課される、特定の用途および設計制約に依存する。本明細書に説明される概念に精通する者は、各特定の用途に好適な様式においてそのような機能を実装し得るが、そのような実装の決定は、本発明の範囲からの逸脱を生じるものとして解釈されてはならない。
【００３３】
例示的システム２００において、ＢＳトランシーバ２０２およびＭＳトランシーバ２０８は各々、送信機モジュールおよび受信機モジュール（図示せず）を備える。加えて、この図には示されないが、当業者は、送信機は、２台以上の受信機へ伝送してもよく、複数の送信機は、同じ受信機へ伝送し得ることを認識するであろう。
【００３４】
図２において表される特定の実施例システムにおいて、「アップリンク」トランシーバ２０８は、アップリンク受信機とアンテナを共有する送信機を含む。二重スイッチは、代替として、時分割二重の様式で、アップリンク送信機または受信機をアップリンクのアンテナに連結し得る。同様に、「ダウンリンク」トランシーバ２０２は、ダウンリンクアンテナをダウンリンク送信機と共有する受信機を含むことができる。ダウンリンク二重スイッチは、代替として、時複信の様式で、ダウンリンク送信機または受信機をダウンリンクのアンテナに連結し得る。
【００３５】
移動局トランシーバ２０８および基地局トランシーバ２０２は、ワイヤレスデータ通信リンク２１４を介して通信するように構成される。移動局トランシーバ２０８および基地局トランシーバ２０２は、特定のワイヤレス通信プロトコルおよびモジュール化スキームをサポートすることができる好適に構成されたＲＦアンテナ構成２０６／２１２と連携する。例示的実施形態において、移動局トランシーバ２０８および基地局トランシーバ２０２は、第３世代パートナーシッププロジェクト長期開発（３ＧＰＰ  ＬＴＥ）、第３世代パートナーシッププロジェクト２ウルトラモバイルブロードバンド（３Ｇｐｐ２  ＵＭＢ）、時分割同期コード分割複数アクセス（ＴＤ−ＳＣＤＭＡ）、およびマイクロ波アクセスのためのワイヤレス相互運用（ＷｉＭＡＸ）等の業界標準をサポートするように構成される。移動局トランシーバ２０８および基地局トランシーバ２０２は、８０２．１６ｅ、８０２．１６ｍ等、ＩＥＥＥ８０２．１６の将来のバージョンを含む、代替、または追加のワイヤレスデータ通信プロトコルをサポートするように構成され得る。
【００３６】
一定の実施形態によると、ＢＳ１０２は、無線リソースの割り当ておよび配分を制御し、ＭＳ１０４は、割り当てプロトコルをデコードし、解釈するように構成される。例えば、そのような実施形態は、複数のＭＳ１０４が、１台のＢＳ１０２によって制御される同じ無線チャネルを共有するシステムで採用され得る。しかしながら、代替実施形態において、ＭＳ１０４は、特定のリンクに対する無線リソースの割り当てを制御し、本明細書に説明されるように、無線リソース制御装置またはアロケータの役割を実装し得る。
【００３７】
プロセッサモジュール２１６／２２２は、本明細書に説明される機能を実施するように設計される、汎用プロセッサ、コンテンツアドレス可能メモリ、デジタル信号プロセッサ、用途特定集積回路、フィールドプログラムマブルゲートアレイ、任意の好適なプログラム可能論理デバイス、ディスクリートゲートまたはトランジスタロジック、ディスクリートハードウェア構成要素、またはこれらの任意の組み合わせを用いて実装、または実現され得る。この様式において、プロセッサは、マイクロプロセッサ、コントローラ、マイクロコントローラ、ステートマシン、等として実現され得る。プロセッサはまた、例えば、デジタル信号プロセッサおよびマイクロプロセッサ、複数のプロセッサ、デジタル信号プロセッサコアを併せ持つ１つ以上のマイクロプロセッサ、または任意の他のこのような構成等、コンピューティングデバイスの組み合わせとして実装され得る。プロセッサモジュール２１６／２２２は、システム２００の動作に関連する機能、技法、および処理タスクを実行するように構成される処理ロジックを備える。実際的な実施形態において、処理ロジックは、ＢＳ１０２の中に存在してもよく、および／またはＢＳトランシーバ２０２と通信するネットワークアーキテクチャの一部であり得る。
【００３８】
本明細書に開示される実施形態に関して説明される方法またはアルゴリズムのステップは、ハードウェア、ファームウェア、プロセッサモジュール２１６／２２２によって実行されるソフトウェアモジュール、またはこれらの任意の実際的な組み合わせにおいて直接具現化され得る。ソフトウェアモジュールは、メモリモジュール２１８／２２０の中に存在してもよく、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、または当技術分野で周知の任意の他の形式のストレージ媒体として実現され得る。この点で、メモリモジュール２１８／２２０は、プロセッサモジュール２１６／２２０が、メモリモジュール６１８／６２０から情報を読み取り、ここに書き込むことができるように、それぞれ、プロセッサモジュール２１８／２２２に連結され得る。例として、プロセッサモジュール２１６およびメモリモジュール２１８、プロセッサモジュール２２２およびメモリモジュール２２０は、それぞれのＡＳＩＣの中に存在し得る。メモリモジュール２１８／２２０はまた、プロセッサモジュール２１６／２２０内に統合され得る。実施形態において、メモリモジュール２１８／２２０は、プロセッサモジュール２１６／２２２によって実行される命令の実行中に、一時変数または他の中間情報を記憶するためのキャッシュメモリを含み得る。メモリモジュール２１８／２２０はまた、プロセッサモジュール２１６／２２０によって実行される命令を記憶するための不揮発性記憶装置を含み得る。
【００３９】
本発明の例示的実施形態によると、メモリモジュール２１８／２２０は、フレーム構造データベース（図示せず）を含み得る。フレーム構造パラメータデータベースは、以下に説明する様式で、システム２００の機能をサポートするよう、必要に応じて、データを格納、維持、および提供するように構成され得る。さらに、フレーム構造データベースは、プロセッサ２１６／２２２に連結されるローカルデータベースであり得、または、例えば、中央ネットワークデータベース等のリモートデータベースであり得る。フレーム構造データベースは、以下に説明するように、これに限定されず、フレーム構造パラメータを維持するように構成され得る。この様式において、フレーム構造データベースは、フレーム構造パラメータを格納する目的のための参照テーブルを含み得る。
【００４０】
ネットワーク通信モジュール２２６は概して、基地局トランシーバ２０２と、基地局トランシーバ２０２が接続されるネットワーク構成要素との間の双方向通信を可能にする、システム２００のハードウェア、ソフトウェア、ファームウェア、処理ロジック、および／または他の構成要素を表す。例えば、ネットワーク通信モジュール２２６は、インターネットまたはＷｉＭＡＸトラフィックをサポートするように構成され得る。典型的な配備において、これに制限されず、ネットワーク通信モジュール２２６は、８０２．３イーサネット（登録商標）インターフェースを提供するので、基地局トランシーバ２０２は、従来のイーサネット（登録商標）ベースのコンピュータネットワークと通信することができる。この様式において、ネットワーク通信モジュール２２６は、コンピュータネットワーク（例えば、移動交換センター（ＭＳＣ））への接続のための物理的インターフェースを含み得る。
【００４１】
図３は、実施形態による、ＭＢＳサービスグループ（またはＭＢＳサービス領域）にグループ化された複数のＭＢＳゾーンを備える例示的無線チャネル動作環境の図である。ＭＢＳゾーン内で、ＭＢＳゾーン内で有効にされるマクロダイバーシティであるかまたはフレームレベルの調整であるかに応じて、ＭＣＢＣＳプログラミングコンテンツは必ずしも、ＤＬサブフレームの正確な場所でＭＢＳ置換ゾーンの中に含まれなくてもよく、ＭＣＢＣＳプログラミングコンテンツは、両方の場合に同じフレームで必ずスケジュールされても、されなくてもよい。ＭＣＩＤおよびＭＢＳゾーンＩＤが同じままである限り、ＭＳは、上述のように、ＭＢＳ＿ＭＡＰ＿ＩＥ、ＭＢＳ＿ＭＡＰメッセージおよびＭＢＳ＿ＤＡＴＡ＿ＩＥのサポートを通して期待されるＭＣＢＣＳプログラミングコンテンツを呼び出すことができる。
【００４２】
ＭＢＳゾーン全体で、ＭＢＳサービスのタイプに応じて、選択する２つのオプションがある。
オプション１：サービス継続を最大限にするように、フレームレベルの調整を維持する。
オプション２：同期せずに、基本的なゾーンの切替。
ＭＳが、ＭＢＳゾーン境界を越え、ターゲットＢＳ１０２はもう、サービングＭＢＳゾーンの一部ではないことを理解した場合、ＭＳ１０４は、所定の実施形態によると、ＭＣＢＣＳダウンリンク伝送の受信を再開するためのパラメータに関連する対応する新しいターゲットＭＢＳゾーンを取得するために、ハンドオーバ手順を起動し得る。
【００４３】
一定の実施形態によると、ＭＢＳゾーン間のハンドオーバサポートは、同じＭＣＢＣＳサービスが、同じＭＣＢＣＳ伝送ゾーンに属する複数のＭＢＳゾーンに及び、かつ特定のサービス継続が要求される場合のみに期待され得る。加えて、事前構成またはイベントトリガ（例えば、セッション起動）のいずれかを通して、ＭＢＳゾーン近接もまた、ＢＳ１０２がサポートする各ＭＢＳゾーンに対して、ＢＳ１０２に提供され得る。ＭＢＳゾーン近接は、例えば、所定の実施形態によると、ＭＳに提供されていた所与のＭＣＢＣＳサービスに対する現在のサービングＭＢＳゾーンの直近近接ゾーンを含む。
【００４４】
図３は、ＭＢＳサービスグループ３００（またはＭＢＳサービス領域）（３００（ａ）および３００（ｂ）として図示）にグループ化された様々なＭＢＳゾーン３０２／３０４／３０６／３０８／３１０／３１２を表す。例示目的のために、２つのＭＢＳサービスグループ３００（ａ）および３００（ｂ）だけが表されるが、任意の数のＭＢＳサービスグループが使用可能であり得る。ＭＢＳゾーン３０２／３０４／３０６／３０８／３１０／３１２は、任意の数のＢＳ１０２およびＭＳ１０４を含むことができる。
【００４５】
図３に示されるように、ＭＢＳサービスグループ３００（ａ）は、ＭＢＳゾーン３０２、３０４、および３０６を含む一方で、ＭＢＳサービスグループ３００（ｂ）は、ＭＢＳゾーン３０６、３０８、３１０、および３１２を含む。示される実施形態によると、ＭＢＳゾーン（例えば、３０６）は、複数のＭＢＳサービスグループ３００（ａ）および３００（ｂ）に含まれてもよい。もちろん、ＭＢＳサービスグループ３００の中で、含まれたＭＢＳゾーンは相互に接合されてなくてもよく、任意の特定の種類の集団であることは要求されない。ＭＢＳゾーンは、任意の形状であり得、例示的目的で六角形として表される。
【００４６】
ＭＢＳゾーン内またはＭＢＳゾーン間のハンドオーバサポートの場合、ＭＳ１０４起動の制御されたハンドオーバ、ＢＳ１０２起動の制御されたハンドオーバ、および未制御のハンドオーバという、考慮すべきいくつかの基本的シナリオがある。ＭＢＳゾーン内およびＭＢＳゾーン間両方のハンドオーバは、ＭＳ１０４起動およびＢＳ１０２起動であり得る。
【００４７】
ＭＳ１０４がアクティブモードにあり、ＭＳ１０４がＭＢＳサービスに加わった場合、進行中のＭＣＢＣＳ  ＤＬ伝送が存在するかしないかに関わらず、ＭＳ１０４は、ターゲットの好ましいＢＳ１０２が現在のＭＢＳゾーンに属するかどうかを決定するために、ＭＯＢ＿ＮＢＲ＿ＡＤＶの監視を継続し得る。ハンドオーバ準備段階の前に、ターゲットＢＳ１０２が、現在のサービング／アンカーＢＳ１０２と同じＭＢＳゾーンＩＤをサポートする場合、ＭＳ１０４は、まだ同じＭＢＳゾーン内にあると認識する。進行中のＭＣＢＣＳ  ＤＬ伝送がある場合、ＭＳ１０４は、ＭＣＢＣＳ  ＤＬ伝送を受信するように、ＤＣＤ、ＤＬ＿ＭＡＰ、ＭＢＳ＿ＭＡＰ＿ＩＤおよび／またはＭＢＳ＿ＭＡＰメッセージならびにＭＢＳ＿ＤＡＴＡ＿ＩＥの中の情報の一部または全てを参照し得る。一定の実施形態によると、同じＭＢＳゾーン内で、ＭＳ１０４は、そのＭＢＳゾーン内の他のＢＳ１０２で登録することなく、ＭＣＢＣＳプログラミングコンテンツの受信を継続することができる。
【００４８】
所定の実施形態によると、ユニキャストサービスフローのための既存のハンドオーバ手順は、ＭＢＳゾーンＩＤ、ＭＣＩＤ等のＭＢＳ関連サービスパラメータの追加が、サービングＢＳ１０２によって、ターゲットＢＳ１０２に渡されるＭＳ１０４のコンテキストの一部として含まれ得る点を除き、必ずしもＭＢＳゾーン内移行による影響を受けない。
【００４９】
図４は、ＭＢＳハンドオーバ（ＨＯ）準備段階およびＭＢＳ  ＨＯ実行段階を起動するＭＳ１０４を示すフロー図である。ＭＳ１０４が、ＭＢＳゾーン境界（ＭＢＳゾーン間）に近づいている、または越えていることを認識する時、ターゲットＢＳ１０２はもう、ＭＳ１０４の同じサービングＭＢＳゾーンの一部ではないので、ＭＳ１０４は、ＭＣＢＣＳダウンリンク伝送の受信を再開するために、対応する新しいＭＢＳゾーン関連パラメータを取得するために、ハンドオーバ動作を実施し得る。
【００５０】
所定の実施形態によると、ハンドオーバ準備段階前に、ＭＳ１０４は、サービング／アンカーＢＳ１０２から周期的に取得されるＭＯＢ＿ＮＢＲ＿ＡＤＶメッセージを介して、ターゲットＢＳ１０２のＭＢＳゾーンＩＤを調査し得る。ターゲットＢＳ１０２が、同じサービングＭＢＳゾーンをサポートしない場合、ＭＳ１０４は、異なるＭＢＳゾーンに近づいていることを認識し、ＭＳ１０４は、サービングＢＳ１０２に向けて、ＨＯトリガ基準（例えば、関連ＣＩＮＲまたはＲＳＳＩ閾値等）を満たす潜在的なターゲットＢＳのリストと共にＭＯＢ＿ＭＳＨＯ＿ＲＥＱメッセージを発行することによって、ハンドオーバ手順をトリガし得る。
【００５１】
ネットワークが、ＭＳ１０４から、ＭＯＢ＿ＭＳＨＯ＿ＲＥＱメッセージを受信する時、サービングＢＳ１０２は、ＭＳ１０４コンテキストから取得されるＭＢＳゾーンパラメータ（例えば、ＭＢＳプロキシＩＤ、アンカーＭＢＳ  ＤＰＦ  ＩＤ、ＭＣＩＤ、ＬＣＩＤ、ＳＡＩＤ等）を含めて、潜在的なターゲットＢＳ１０２への１つ以上のＨＯ−Ｒｅｑを起動し得る。所定の実施形態によると、特定のＭＣＢＣＳサービスに対するサービス継続が要求される場合、サービングＢＳ１０２は、同じＭＣＢＣＳサービスをサポートする、潜在的なターゲットＢＳ１０２だけを選択することができる。
【００５２】
ターゲットＢＳ１０２が、サービングＢＳ１０２から、ＭＢＳゾーンパラメータならびにＭＢＳゾーン近接情報を含むＭＳ１０４コンテキストを備えるＨＯ−Ｒｅｑを受信した場合であって、ＭＣＢＣＳサービス継続が要求される場合に、ターゲットＢＳ１０２が同じＭＢＳの一部であるか、またはターゲットＭＢＳゾーン近接のうちの１つ以上をサポートする場合、かつターゲットＢＳ１０２が、ＭＳ１０４によって要求されるいくつか、または全ての他のサービス基準を満たす場合に、ターゲットＢＳ１０２は、肯定的ＨＯ−ＲＳＰでサービング１０２に応答する。そうでなければ、所定の実施形態によると、ターゲットＢＳ１０２は、否定的ＨＯ−ＲＥＰでサービングＢＳ１０２に応答し得る。
【００５３】
サービングＢＳ１０２が、ターゲットＢＳ１０２からのＨＯ−ＲＥＰのうちの１つ以上を調査すると、サービングＢＳ１０２は、次いで、ＭＣＢＣＳサービス継続ポリシーの要件の少なくとも一部に従って、ターゲットＢＳ１０２を選択する。所定の実施形態によると、ＭＣＢＣＳサービス継続が要求され、かつ同じＭＢＳゾーンの一部、またはターゲットＭＢＳゾーン近接のうちの１つ以上をサポートする、少なくとも１つのターゲットＢＳ１０２が存在する場合、サービングＢＳ１０２は、ＭＯＢ＿ＢＳＨＯ−ＲＳＰの中に選択されたターゲットＢＳ１０２を含めてＭＳ１０４に応答し得る。そうでなければ、サービングＢＳ１０２は、例えば、否定的なＭＯＢ＿ＢＳＨＯ−ＲＳＰでＭＳからのＭＯＢ＿ＭＳＨＯ−ＲＥＱを拒否し得る。
【００５４】
所定の実施形態によると、ＭＯＢ＿ＢＳＨＯ−ＲＳＰの中にはターゲットＢＳ１０２が識別されないが、ＭＢＳゾーン近接のうちの１つをサポートする、サービングＢＳの近接ＢＳ１０２が存在する場合、近接ＢＳ１０２が、以前のＭＯＢ＿ＭＳＨＯ−ＲＥＱの中のＭＳ１０４によって選択されたターゲットＢＳ１０２の本来のリストに含まれていない場合であっても、サービングＢＳ１０２は、このような潜在的なターゲットＢＳ１０２が、ＭＳ１０４へ送信されるＭＯＢ＿ＢＳＨＯ−ＲＥＱに含まれるように提案し得る。ＭＳ１０４は、例えば、サービングＢＳ１０２によって、提案されたターゲットＢＳ１０２に対するＭＳ１０４のＲＦ感度に依存して、ＭＯＢ＿ＢＳＨＯ−ＲＥＱの中のこのようなＢＳ１０２を受容しても、しなくてもよい。
【００５５】
ＭＳ１０４が、サービングＢＳ１０２から、ターゲットＢＳ１０２のリストを含む、ＭＯＢ＿ＢＳＨＯ−ＲＳＰを受信する時、ＭＳ１０４は、ハンドオーバ準備段階を完了し、ハンドオーバ動作の実行段階に進んでもよい。
【００５６】
図５は、ＭＳ１０４起動のＭＢＳ  ＨＯ実行段階を示すフロー図である。ＭＳ１０４が、例えば、サービングＢＳ１０２へ、ＭＯＢ＿ＨＯ−ＩＮＤを送信することによって、ターゲットＢＳ１０２を選択すると、ＭＳ１０４は、次いで、新しいサービングＢＳ１０２に対するＲＮＧ−ＲＥＱを起動し得る。ターゲットＢＳ１０２は、ＭＳ１０４によって選択されていたことをサービングＢＳ１０２によって通知されていることがあり、ターゲットＢＳ１０２は、ＭＳ１０４によって応答されるＲＮＧ−ＲＳＰのＲＥＧ−ＲＳＰエンコーディングＴＬＶの中に、更新されたＭＢＳゾーンパラメータを含むことができる。所定の実施形態によると、ハンドオーバ動作が完了すると、ＭＳ１０４コンテキストは、選択された新しいサービングＢＳ１０２に従って、新しいＭＢＳゾーンパラメータを用いて更新され得る。
【００５７】
新しいサービングＢＳ１０２が、同じＭＢＳサービスをサポートしない場合、ＭＢＳサービスは、中断され、継続されない。ＭＢＳサービス中断の処理および報告は、局所的な実装設計決定であり、本開示の範囲を逸脱することなく、多様な実装が使用され得る。
【００５８】
ＭＳ１０４が、更新されたＭＢＳゾーンパラメータを含むＲＮＧ−ＲＳＰを受信する時、ＭＳ１０４は、次いで、例えば、ＩＥＥＥ８０２．１６仕様において説明される手順に基づいて、ＤＣＤ、ＤＬ＿ＭＡＰ、ＭＢＳ＿ＭＡＰ＿ＩＥ、および／またはＭＢＳ＿ＭＡＰメッセージ、ならびにＭＢＳ＿ＤＡＴＡ＿ＩＥを参照することによって、ＭＳＢＣＳプログラミングコンテンツの受信を再開することができる。
【００５９】
ネットワーク起動のＭＢＳゾーン間制御のハンドオーバとは、例えば、ＭＣＢＣＳサービス継続ポリシーが要求される時、ＭＳ１０４コンテキストならびに現在のサービングＢＳ１０２のＢＳ１０２近接リストを参照することによって、サービングＢＳ１０２が、ＭＳ１０４がＭＳのサービングＭＢＳゾーンと同じＭＢＳサービスをサポートする新しいＭＢＳゾーンに近づいていることを認識することを言う。
【００６０】
図６は、実施形態による、ネットワーク起動のＭＢＳ  ＨＯ準備段階を示す流れ図である。サービングＢＳ１０２は、ＭＳ１０４によって要求される同じＭＣＢＣＳサービスをサポートする、潜在的なターゲットＢＳ１０２のリストを含む、ＭＳ１０４へのＭＯＢ＿ＢＳＨＯ−ＲＥＱを起動し得る。所定の実施形態によると、サービングＢＳ１０２は、潜在的なターゲットＢＳ１０２と共にＨＯ手順の準備を進め得る。
【００６１】
ＭＳ１０４が、サービングＢＳ１０２から、潜在的なターゲットＢＳ１０２のリストを含む、ＭＯＢ＿ＢＳＨＯ−ＲＥＱを受信する時、ＭＳ１０４は、ハンドオーバ準備段階を完了し、ハンドオーバ動作の実行段階に進むことができる。
【００６２】
ＭＳ１０４が、ＭＯＢ＿ＨＯ−ＩＮＤをサービングＢＳ１０２へ送信することによって、ターゲットＢＳ１０２を選択すると、ＭＳ１０４は、次いで、新しいサービングＢＳ１０２に対してＲＮＧ−ＲＥＱを起動する。新しいターゲットＢＳ１０２は、所定の実施形態によると、ＭＳ１０４によって選択されたことを通知されていることがある。ターゲットＢＳ１０２は、ＭＳ１０４へ送信されるＲＮＧ−ＲＳＰのＲＥＧ−ＲＳＰエンコーディングＴＬＶの中に更新されたＭＢＳゾーンパラメータを含ませ得る。所定の実施形態によると、ハンドオーバ動作が完了すると、ＭＳ１０４コンテキストは、選択された新しいサービングＢＳ１０２に従う新しいＭＢＳゾーンパラメータを用いて更新され得る。
【００６３】
一定の実施形態によると、ＭＳ１０４が、更新されたＭＢＳゾーンパラメータを含むＲＮＧ−ＲＳＰを受信する時、ＭＳ１０４は、次いで、ＩＥＥＥ８０２．１６仕様において説明される手順に基づいて、ＤＣＤ、ＤＬ＿ＭＡＰ、ＭＢＳ＿ＭＡＰ＿ＩＥ、および／またはＭＢＳ＿ＭＡＰメッセージ、ならびにＭＢＳ＿ＤＡＴＡ＿ＩＥを参照することによって、ＭＳＢＣＳプログラミングコンテンツの受信を再開することができる。
【００６４】
所定の実施形態によると、ネットワーク起動のＭＢＳ実行段階は、ＭＳ起動のＭＢＳ実行段階と同じであり得る。
【００６５】
図７は、実施形態による、未制御のＭＢＳゾーン間ＨＯ手順を示すフロー図である。ＭＳ１０４は、ＭＯＢ＿ＢＳＨＯ＿ＲＳＰを受信する前にサービングＢＳ１０２を離れるが、少なくともターゲットＢＳ１０２の指示を有するＭＯＢ＿ＨＯ−ＩＮＤを送信することに成功する場合、これは、未制御ＨＯと見なされる。最悪の場合、ＭＳ１０４は、ターゲットＢＳ１０２に何も示すことなく、ターゲットＢＳ１０２において突然接続し得る。これは、予測なしＨＯと見なされる。
【００６６】
新しいサービングＢＳ１０２が、ＭＳ１０４からＲＮＧ−ＲＥＱを受信する時、ＲＮＧ−ＲＥＱの中の古いサービングＢＳ１０２を参照することによって、新しいサービングＢＳ１０２は、古いサービングＢＳ１０２からＭＳ１０４のＭＳ１０４コンテキストをリクエストすることができる。新しいサービングＢＳ１０２が、古いサービングＢＳ１０２から、例えば、サービングＭＢＳゾーンパラメータのリストを含む、ＭＳ１０４コンテキストを受信する時、新しいサービングＢＳ１０２は、次いで、同じＭＢＳゾーンの一部であるかどうか、または、所与のＭＳ１０４のターゲットＭＢＳゾーン近接のうちの１つをサポートするかどうかを決定し得る。
【００６７】
新しいサービングターゲットＢＳ１０２が、同じＭＣＢＣＳサービスをサポートするが、異なるＭＢＳゾーンにおいてサポートする場合、新しいサービングＢＳ１０２は、次いで、ＭＳ１０４に返される、ＲＮＧ−ＲＳＰのＲＥＧ−ＲＳＰエンコーディングＴＬＶの中に適切なＭＢＳゾーンパラメータを含める。
【００６８】
一定の実施形態によると、ＭＳ１０４が、更新されたＭＢＳゾーンパラメータを含むＲＮＧ−ＲＳＰを受信する時、ＭＳ１０４は、次いで、ＩＥＥＥ８０２．１６仕様において説明される手順に基づいて、ＤＣＤ、ＤＬ＿ＭＡＰ、ＭＢＳ＿ＭＡＰ＿ＩＥ、および／またはＭＢＳ＿ＭＡＰメッセージ、ならびにＭＢＳ＿ＤＡＴＡ＿ＩＥを参照することによって、ＭＳＢＣＳプログラミングコンテンツの受信を再開することができる。
【００６９】
前述のように、ユニキャストサービスフローのための既存のハンドオーバ手順は、例えば、ＭＢＳゾーンＩＤ、ＭＣＩＤ等のＭＢＳ関連サービスパラメータの追加が、サービングＢＳ１０２によってターゲットＢＳ１０２に渡されるＭＳ１０４のコンテキストの一部として含まれるように要求される点を除き、ＭＢＳゾーン内移行による影響を受けない。
【００７０】
ＭＳがＭＢＳゾーン境界に近づいている、または越えている場合、ＭＳ１０４およびネットワークは、例えば、ユニキャストサービス基準とＭＢＳサービス基準のどちらのハンドオーバポリシーが優先されるべきかを決定し得る。
【００７１】
正しいハンドオーバ決定をサポートするために、所定の実施形態によると、ＭＣＢＣＳサービス継続インジケータは、ＡＳＮで所与のＭＣＢＣＳサービスに対するハンドオーバポリシーを設定するよう要求され得る。
【００７２】
本発明の多様な実施形態が上記に説明されたが、これらは例示のためであって、制限のために示されたことを理解されたい。同様に、多様な図面は、開示のための例示的基本概念または他の構成を表してもよく、これは、本開示に含まれ得る特長および機能を理解する際に支援となるよう行われる。本開示は、図説される例示的基本設計概念または構成に限定されず、多様な代替基本設計概念および構成を使用して実装され得る。加えて、本開示は上記で、多様な例示的実施形態および実装の観点から説明されるが、個別の実施形態のうちの１つ以上で説明される多様な特徴および機能は、その適用を説明された特定の実施形態に限定されないことを理解されたい。そうではなく、単独またはいくつかの組み合わせにおいて、本開示の他の実施形態のうちの１つ以上に適用可能であり得、そのような実施形態が説明される、されないに関わらず、およびそのような特徴が説明される、されないに関わらず、実施形態の一部であるとして提示される。このように、本開示の広さおよび範囲は、上述の例示的実施形態のいずれにも制限されてはならない。
【００７３】
本文書において、ここで使用される「モジュール」という用語は、本明細書において説明される関連機能を実施するための、ソフトウェア、ファームウェア、ハードウェア、およびこれらの要素の任意の組み合わせを言う。加えて、説明の目的のために、多様なモジュールは別個のモジュールとして説明されるが、当業者には明らかであるように、本発明の実施形態による関連機能を実施する単一モジュールを形成するように、２つ以上のモジュールが組み合わされ得る。
【００７４】
本文書では、「コンピュータプログラム製品」、「コンピュータ可読媒体」等の用語は、概して、メモリストレージデバイス、またはストレージユニット等の媒体を指すために使用され得る。これら、および他の形式のコンピュータ可読媒体は、プロセッサに特定の動作を実施させるように、プロセッサによって使用されるための１つ以上の命令を記憶することに関連し得る。そのような命令は、概して、実行時にコンピューティングシステムを有効にする、「コンピュータプログラムコード」（コンピュータプログラムまたは他のグループの形式にグループ化され得る）と称される。
【００７５】
明確化の目的のために、上記の説明は、異なる機能ユニットおよびプロセッサを参照して本発明の実施形態を説明したことが明らかであろう。しかしながら、異なる機能ユニット、プロセッサ、またはドメインの間での任意の好適な分散が、本発明を逸脱することなく使用され得ることが明らかであろう。例えば、個別のプロセッサまたは制御装置によって実施されるように示される機能は、同じプロセッサ、または制御装置によって実施され得る。したがって、特定の機能ユニットへの参照は、厳密な論理または物理構造または編成を示すものではなく、説明された機能を提供するための好適な手段への参照に過ぎないと考えられる。
【００７６】
本文書、およびその変更において使用される用語および語句は、その他特に明記されない限り、制限とは対照的に無制限として解釈されるべきである。前述の例として、「含む」という用語は、「制限なく、含む」等と意味するとして解釈されるべきであり、「実施例」という用語は、検討されている項目の例示的事例を提供するために使用され、その排除または制限のリストではなく、「従来の」、「伝統的な」、「正常な」、「標準の」、「周知の」等の形容詞、および同様な意味の用語は、所与の期間に説明される項目、または所与の時点で使用可能な項目を制限するとして解釈されてはならない。しかしそうではなく、これらの用語は、現在、または将来の任意の時点で、使用可能で、周知であり得る、従来、伝統的、正常な、または標準の技術に及ぶものとして解釈されるべきである。同様に、「および」の接続詞で連結される項目グループは、これらの項目のうちの各々およびあらゆるものがグループに存在することを要求するとして解釈されてはならず、その他明示的に記載されない限り、「および／または」として解釈されるべきである。同様に、「または」の接続詞で連結される項目グループは、そのグループの中で相互に排他的であることを要求するとして解釈されてはならず、その他明示的に記載されない限り、「および／または」として解釈されるべきである。さらに、本開示の項目、要素、または構成要素は、単数形で説明または請求される場合があるが、単数形への制限が明示的に記載されない限り、複数形がその範囲内であると考えられる。いくつかの場合における「１つ以上」、「少なくとも」、「しかしこれらに制限されず」、または同様な語句等の拡大する単語および語句の存在は、そのような拡大語句が存在しない場合の事例において、より狭義の事例が意図される、または要求されることを意味すると解釈されてはならない。
【００７７】
加えて、記憶装置または他のストレージ、ならびに通信構成要素は、本発明の実施形態に採用され得る。明確化の目的のために、上記の説明は、異なる機能ユニットおよびプロセッサを参照して本発明の実施形態を説明したことが明らかであろう。しかしながら、異なる機能ユニット、処理論理要素、またはドメインの間での任意の好適な分散が、本発明を逸脱することなく使用され得ることが明らかであろう。例えば、個別の処理論理要素、または制御装置によって実施されると図説される機能は、同じ処理論理要素、または制御装置によって実施され得る。したがって、特定の機能ユニットへの参照は、厳密な論理または物理構造または編成を示すものではなく、説明された機能を提供するための好適な手段への参照に過ぎないと考えられる。
【００７８】
さらに、個別に挙げられるが、複数の手段、要素、または方法のステップは、例えば、単一のユニットまたは処理論理要素によって実装され得る。加えて、個別の特徴は異なる請求項に含まれてもよいが、これらは、可能性として有利に組み合わされ得る。異なる請求項に含まれていることは、特徴の組み合わせが実現可能および／または利点ではないことを暗示しない。また、請求項の１つの区分に１つの特徴を含むことは、この区分に対する制限を暗示するものではなく、特徴は、必要に応じて、他の請求区分へ等しく適用可能であり得る。
【図１】
2012510212.tif 000003
【図２】
2012510212.tif 000004
【図３】
2012510212.tif 000005
【図４】
2012510212.tif 000006
【図５】
2012510212.tif 000007
【図６】
2012510212.tif 000008
【図７】
2012510212.tif 000009
【国際調査報告】
2012510212.tif 000010
2012510212.tif 000011